(57)【要約】【課題】複数の発光領域が設けられている場合でも、各発光領域からの照明光の発光品位が低下するのを防ぐことができる表示品位に優れた表示装置を提供する。【解決手段】バックライト装置（バックライト部）と、複数の画素を備えるとともに、バックライト装置からの照明光を用いて、情報を表示する液晶パネル（表示部）とを具備した液晶表示装置（表示装置）において、複数の各発光領域には、発光ダイオード４と、発光ダイオード４からの光が入光される入光面５ａ、及び入光面５ａから入光された光を対応する表示領域に発光する発光面５ｂを有する導光板５が設けられ、導光板５には、隣接する発光領域との境界側の側面５ｃ、５ｄ、５ｅに対して、入光面５ａから入光された光が外部に出射されるのを遮光する遮光枠６が設けられている。【選択図】図７
2010276789.tif 000002
【特許請求の範囲】
【請求項１】
光源を有するバックライト部と、複数の画素を備えるとともに、前記バックライト部からの照明光を用いて、情報を表示する表示部とを具備した表示装置であって、
前記表示部に設けられた複数の表示領域と、
前記バックライト部に設定されるとともに、前記複数の表示領域に対して、前記光源の光をそれぞれ入射させる複数の発光領域と、
入力された画像信号を用いて、前記バックライト部及び前記表示部の駆動制御を行う制御部を備え、
前記複数の各発光領域には、少なくとも一つの光源と、前記少なくとも一つの光源からの光が入光される入光面、及び前記入光面から入光された光を対応する表示領域に発光する発光面を有する導光板とが設けられ、
前記導光板には、隣接する発光領域との境界側の側面に対して、前記入光面から入光された光が外部に出射されるのを遮光する遮光枠が設けられている、
ことを特徴とする表示装置。
【請求項２】
前記遮光枠として、合成樹脂製の遮光部材が用いられている請求項１に記載の表示装置。
【請求項３】
前記遮光枠として、遮光インクが用いられている請求項１に記載の表示装置。
【請求項４】
前記遮光枠として、前記複数の発光領域に一体的に設置される格子状の遮光部材が用いられている請求項１に記載の表示装置。
【請求項５】
前記バックライト部では、前記導光板の前記表示部側に所定のギャップをおいて拡散板が配置されている請求項１〜４のいずれか１項に記載の表示装置。
【請求項６】
前記遮光枠は、その前記発光面側の端部が当該発光面よりも低い位置となるように、対応する導光板の側面に設置されている請求項１〜５のいずれか１項に記載の表示装置。
【請求項７】
前記複数の発光領域では、隣接する発光領域単位で所定の隙間が設けられている請求項１〜６のいずれか１項に記載の表示装置。
【請求項８】
前記導光板として、前記複数の発光領域用の導光板を一体的に形成した形成品が用いられている請求項１〜７のいずれか１項に記載の表示装置。
【請求項９】
前記導光板には、前記遮光枠を設置するための溝が設けられている請求項１〜８のいずれか１項に記載の表示装置。
【請求項１０】
前記バックライト部では、前記導光板の上方に光学シートが配置されている請求項１〜９のいずれか１項に記載の表示装置。
【請求項１１】
前記遮光枠では、少なくとも前記導光板に面する側が光反射性を有している請求項１〜１０のいずれか１項に記載の表示装置。
【請求項１２】
前記光源として、発光ダイオードが用いられている請求項１〜１１のいずれか１項に記載の表示装置。
【発明の詳細な説明】
【技術分野】
【０００１】
本発明は、表示装置、特に液晶表示装置などの非発光型の表示装置に関する。
【背景技術】
【０００２】
近年、例えば液晶表示装置は、在来のブラウン管に比べて薄型、軽量などの特長を有するフラットパネルディスプレイとして、液晶テレビ、モニター、携帯電話などに幅広く利用されている。このような液晶表示装置には、光を発光するバックライト装置と、バックライト装置に設けられた光源からの光に対しシャッターの役割を果たすことで所望画像を表示する液晶パネルとが含まれている。
【０００３】
また、上記のような従来の液晶表示装置には、例えば下記特許文献１に記載されているように、液晶パネルの表示面を４８（＝６×８）個の画像表示領域に分割し、かつ、バックライト装置の発光面を１２（＝３×４）個の照明領域に分割することが提案されている。また、この従来の液晶表示装置では、各照明領域に対して独立に輝度を制御するとともに、画像信号の階調を照明輝度に応じた階調に変換し、かつ、変換された階調を周囲の照明領域の輝度情報に基づいて補正することも提案されている。そして、この従来の液晶表示装置では、表示面に表示される画像において、黒情報及び白情報が多く含まれる場合にバックライト装置から発光される平面状の照明光全体をそれぞれ比較的暗く及び明るくする既存の液晶表示装置に比べて、表示のダイナミックレンジを拡大し、表示面に表示される画像に大きな輝度傾斜がある場合でも、高品位の画像表示を行えるとされていた。
【先行技術文献】
【特許文献】
【０００４】
【特許文献１】特許第３５２３１７０号公報
【発明の概要】
【発明が解決しようとする課題】
【０００５】
しかしながら、上記のような従来の液晶表示装置では、複数の各照明領域（発光領域）からの照明光の発光品位が低下するのを防ぐことができずに、表示品位が低下するという問題点を生じることがあった。
【０００６】
具体的にいえば、上記従来の液晶表示装置では、バックライト装置において、冷陰極蛍光管に対し、Ｎ（Ｎは、２以上の整数）個の隔壁を当該冷陰極蛍光管の長手方向で所定の間隔をおいて設けることによって、（Ｎ＋１）個の照明領域を上記長手方向に沿って形成していた。また、この従来の液晶表示装置では、隣接する２本の冷陰極蛍光管の間で長手方向に平行な隔壁を設けることにより、複数の照明領域を長手方向に直交する直交方向に沿って形成していた。このため、この従来の液晶表示装置では、冷陰極蛍光管の間隔寸法、隔壁の設置位置（すなわち、隔壁と冷陰極蛍光管との離間距離）、隔壁の材質などによっては、複数の各照明領域から発光される照明光に輝度ムラが発生したり、隣接する照明領域に光が出射されたりして、複数の各照明領域（発光領域）からの照明光の発光品位が低下することがあった。この結果、この従来の液晶表示装置では、その表示品位が低下するという問題点を発生した。
【０００７】
上記の課題を鑑み、本発明は、複数の発光領域が設けられている場合でも、各発光領域からの照明光の発光品位が低下するのを防ぐことができる表示品位に優れた表示装置を提供することを目的とする。
【課題を解決するための手段】
【０００８】
上記の目的を達成するために、本発明にかかる表示装置は、光源を有するバックライト部と、複数の画素を備えるとともに、前記バックライト部からの照明光を用いて、情報を表示する表示部とを具備した表示装置であって、
前記表示部に設けられた複数の表示領域と、
前記バックライト部に設定されるとともに、前記複数の表示領域に対して、前記光源の光をそれぞれ入射させる複数の発光領域と、
入力された画像信号を用いて、前記バックライト部及び前記表示部の駆動制御を行う制御部を備え、
前記複数の各発光領域には、少なくとも一つの光源と、前記少なくとも一つの光源からの光が入光される入光面、及び前記入光面から入光された光を対応する表示領域に発光する発光面を有する導光板とが設けられ、
前記導光板には、隣接する発光領域との境界側の側面に対して、前記入光面から入光された光が外部に出射されるのを遮光する遮光枠が設けられていることを特徴とするものである。
【０００９】
上記のように構成された表示装置における複数の各発光領域には、少なくとも一つの光源と、前記少なくとも一つの光源からの光が入光される入光面、及び前記入光面から入光された光を対応する表示領域に発光する発光面を有する導光板とが設けられている。また、導光板には、隣接する発光領域との境界側の側面に対して、入光面から入光された光が外部に出射されるのを遮光する遮光枠が設けられている。これにより、上記発光面から発光される光に輝度ムラが生じるのを抑制することができるとともに、遮光枠によって、隣接する発光領域に光が出射されるのを阻止することができる。この結果、上記従来例と異なり、複数の発光領域が設けられている場合でも、各発光領域からの照明光の発光品位が低下するのを防ぐことができ、表示品位が低下するのを防止することができる。
【００１０】
また、上記表示装置において、前記遮光枠として、合成樹脂製の遮光部材が用いられてもよい。
【００１１】
この場合、遮光部材が隣接する発光領域に光が出射されるのを阻止して、各発光領域からの照明光の発光品位の低下を防止することができる。
【００１２】
また、上記表示装置において、前記遮光枠として、遮光インクが用いられてもよい。
【００１３】
この場合、遮光インクが隣接する発光領域に光が出射されるのを阻止して、各発光領域からの照明光の発光品位の低下を防止することができる。
【００１４】
また、上記表示装置において、前記遮光枠として、前記複数の発光領域に一体的に設置される格子状の遮光部材が用いられてもよい。
【００１５】
この場合、発光領域の設置数が多いときでも、遮光枠の部品点数を少なくすることができるとともに、組立作業が簡単なバックライト部を容易に構成することができる。
【００１６】
また、上記表示装置において、前記バックライト部では、前記導光板の前記表示部側に所定のギャップをおいて拡散板が配置されてもよい。
【００１７】
この場合、拡散板によって隣接する２つの発光領域の境界部が暗線となるのを防ぐことができ、バックライト部の発光品位が暗線に起因して低下するのを防止することができる。
【００１８】
また、上記表示装置において、前記遮光枠は、その前記発光面側の端部が当該発光面よりも低い位置となるように、対応する導光板の側面に設置されてもよい。
【００１９】
この場合、隣接する２つの発光領域の境界部が暗線となるのを防ぐことができ、バックライト部の発光品位が暗線に起因して低下するのを防止することができる。
【００２０】
また、上記表示装置において、前記複数の発光領域では、隣接する発光領域単位で所定の隙間が設けられてもよい。
【００２１】
この場合、隙間によって対応する発光領域の相互間で光が不必要に出射されるのを容易に阻止することができる。
【００２２】
また、上記表示装置において、前記導光板として、前記複数の発光領域用の導光板を一体的に形成した形成品が用いられてもよい。
【００２３】
この場合、バックライト部の組立作業の簡単化を図ることができ、表示装置の生産性を向上させることができる。
【００２４】
また、上記表示装置において、前記導光板には、前記遮光枠を設置するための溝が設けられてもよい。
【００２５】
この場合、導光板に対して、遮光枠を容易に設置することができ、表示装置の生産性を向上させることができる。
【００２６】
また、上記表示装置において、前記バックライト部では、前記導光板の上方に光学シートが配置されてもよい。
【００２７】
この場合、光学シートによって各発光領域からの照明光の発光品位を向上させることができる。
【００２８】
また、上記表示装置において、前記遮光枠では、少なくとも前記導光板に面する側が光反射性を有していることが好ましい。
【００２９】
この場合、光源の光利用効率を向上させることができる。
【００３０】
また、上記表示装置において、前記光源として、発光ダイオードが用いられてもよい。
【００３１】
この場合、バックライト部の小型化を容易に図ることができ、コンパクトな表示装置を容易に構成することができる。
【発明の効果】
【００３２】
本発明によれば、複数の発光領域が設けられている場合でも、各発光領域からの照明光の発光品位が低下するのを防ぐことができる表示品位に優れた表示装置を提供することが可能となる。
【図面の簡単な説明】
【００３３】
【図１】図１は、本発明の第１の実施形態にかかる液晶表示装置の全体構成を説明する斜視図である。
【図２】図２は、上記液晶表示装置の要部構成を説明する図である。
【図３】図３は、図２に示したパネル制御部の構成例を示すブロック図である。
【図４】図４は、図２に示したバックライト制御部の構成例を示すブロック図である。
【図５】図５は、上記バックライト装置に設けられた複数の発光領域と、これらの発光領域から光が照射される複数の表示領域の具体例を説明する図である。
【図６】図６（ａ）及び図６（ｂ）は、それぞれ上記バックライト装置の要部構成を説明する平面図及び側面図である。
【図７】図７（ａ）及び図７（ｂ）は、それぞれ発光領域に設けられた発光ダイオード、導光板、及び遮光部材を示す斜視図及び側面図である。
【図８】図８は、第１の実施形態の変形例にかかる液晶表示装置での遮光部材を示す平面図である。
【図９】図９は、本発明の第２の実施形態にかかる液晶表示装置の全体構成を説明する斜視図である。
【図１０】図１０（ａ）及び図１０（ｂ）は、図９に示した液晶表示装置における、発光領域に設けられた発光ダイオード、導光板、及び遮光部材をそれぞれ示す斜視図及び側面図である。
【図１１】図１１は、本発明の第３の実施形態にかかる液晶表示装置の全体構成を説明する斜視図である。
【図１２】図１２は、図１１に示した液晶表示装置の要部構成を説明する図である。
【図１３】図１３は、本発明の第４の実施形態にかかる液晶表示装置の全体構成を説明する斜視図である。
【図１４】図１４（ａ）及び図１４（ｂ）は、本発明の第５の実施形態にかかる液晶表示装置における、バックライト装置の要部構成をそれぞれ説明する平面図及び側面図である。
【図１５】図１５（ａ）及び図１５（ｂ）は、図１４に示した液晶表示装置における、発光領域に設けられた発光ダイオード、導光板、及び遮光部材をそれぞれ示す側面図及び斜視図である。
【図１６】図１６は、図１４に示した液晶表示装置の動作例を説明する図である。
【図１７】図１７（ａ）及び図１７（ｂ）は、本発明の第６の実施形態にかかる液晶表示装置における、バックライト装置の要部構成をそれぞれ説明する平面図及び側面図である。
【図１８】図１８は、図１７に示した液晶表示装置での複数の発光領域と複数の表示領域の具体例を説明する図である。
【図１９】図１９（ａ）及び図１９（ｂ）は、図１７に示した液晶表示装置における、発光領域に設けられた発光ダイオード、導光板、及び遮光部材をそれぞれ示す側面図及び斜視図である。
【図２０】図２０（ａ）及び図２０（ｂ）は、本発明の第７の実施形態にかかる液晶表示装置における、バックライト装置の要部構成をそれぞれ説明する平面図及び側面図である。
【図２１】図２１（ａ）及び図２１（ｂ）は、図２０に示した液晶表示装置における、発光領域に設けられた発光ダイオード、導光板、及び遮光部材をそれぞれ示す側面図及び斜視図である。
【図２２】図２２（ａ）及び図２２（ｂ）は、本発明の第８の実施形態にかかる液晶表示装置における、バックライト装置の要部構成をそれぞれ説明する平面図及び側面図である。
【図２３】図２３は、図２２に示した液晶表示装置の動作例を説明する図である。
【発明を実施するための形態】
【００３４】
以下、本発明の表示装置の好ましい実施形態について、図面を参照しながら説明する。なお、以下の説明では、本発明を透過型の液晶表示装置に適用した場合を例示して説明する。また、各図中の構成部材の寸法は、実際の構成部材の寸法及び各構成部材の寸法比率等を忠実に表したものではない。
【００３５】
［第１の実施形態］
図１は、本発明の第１の実施形態にかかる液晶表示装置の全体構成を説明する斜視図である。図１において、本実施形態の液晶表示装置１では、情報を表示する表示部としての液晶パネル２と、バックライト部としてのバックライト装置３とが設けられている。そして、液晶表示装置１では、液晶パネル２がバックライト装置３からの照明光を用いて、情報表示を行うようになっており、これら液晶パネル２とバックライト装置３とが透過型の液晶表示装置１として一体化されている。
【００３６】
バックライト装置３は、光源としての複数、例えば９個の発光ダイオード４と、発光ダイオード４毎に設けられた導光板５及び遮光枠６と、これらの発光ダイオード４、導光板５、及び遮光枠６の下方に設けられて、液晶パネル２側に光を反射する反射シート７を備えている。また、これらの発光ダイオード４、導光板５、及び遮光枠６は、バックライト装置３に設定された９個の各発光領域単位に設けられており、液晶パネル２側に設けられた９個の対応する表示領域に照明光を出射するようになっている（詳細は後述。）。
【００３７】
また、複数の各発光ダイオード４には、例えば赤色（Ｒ）、緑色（Ｇ）、及び青色（Ｂ）の光をそれぞれ発光する赤色、緑色、及び青色の発光ダイオード（図示せず）を一体的に構成した、いわゆるスリーインワン（３ｉｎ１）タイプが使用されている。そして、バックライト装置３では、発光領域毎に、上記ＲＧＢの発光ダイオードからの各色光を混色した白色光の光を導光板５の後述の発光面から液晶パネル２側の対応する表示領域に発光可能に構成されている。尚、この説明以外に、白色光の光を発光する発光ダイオードを用いてもよい。
【００３８】
次に、図２〜図４も参照して、本実施形態の液晶表示装置１の要部構成について具体的に説明する。
【００３９】
図２は、上記液晶表示装置の要部構成を説明する図である。図３は図２に示したパネル制御部の構成例を示すブロック図であり、図４は、図２に示したバックライト制御部の構成例を示すブロック図である。
【００４０】
図２において、制御部８には、ＴＶ（受像機）あるいはＰＣなどの信号源（図示せず）を介して液晶表示装置１の外部から画像信号が入力されるようになっている。また、この制御部８は、入力された画像信号を用いて、液晶パネル２の駆動制御を実質的に行うようになっている。さらに、制御部８は、入力された画像信号を用いて、バックライト装置３の駆動制御も実質的に行うように構成されている。
【００４１】
具体的にいえば、制御部８には、上記画像信号を用いて、液晶パネル２を画素単位に駆動制御するパネル制御部９、画像信号を用いて、バックライト装置３の各発光ダイオード４の駆動制御を行うバックライト制御部１０、及び画像信号に含まれたフレーム単位の表示データを記憶可能に構成されたフレームメモリ１１が設けられている。パネル制御部９及びバックライト制御部１０には、例えばＡＳＩＣ（Application Specific Integrated Circuit）が各々用いられており、これらパネル制御部９及びバックライト制御部１０が、フレームメモリ１１に逐次格納される上記表示データに対して、所定の演算処理を高速に行えるようになっている。また、このように、パネル制御部９及びバックライト制御部１０が設けられているので、本実施形態の液晶表示装置１では、これらパネル制御部９及びバックライト制御部１０がそれぞれ液晶パネル（表示部）２及びバックライト装置（バックライト部）３を適切に駆動することが可能となり、高品位な表示を容易に行うことができるようになっている。つまり、本実施形態の液晶表示装置１では、液晶パネル２の表示面での映像の暗い部分は対応する発光領域からの照明光の輝度を下げ、映像の明るい部分は対応する発光領域からの照明光の輝度を上げることにより、ダイナミックコントラストを向上することができるよう構成されている。
【００４２】
また、パネル制御部９は、ソースドライバ１２及びゲートドライバ１３への各指示信号を出力するようになっている。さらに、パネル制御部９では、バックライト制御部１０に設けられた後述の領域輝度演算部から上記各発光領域の輝度値が通知されるようになっており、ソースドライバ１２への指示信号は通知された各発光領域の輝度値を反映した信号に補正された後、パネル制御部９からソースドライバ１２に出力されるようになっている（詳細は後述。）。
【００４３】
ソースドライバ１２及びゲートドライバ１３は、液晶パネル２に設けられた複数の画素Ｐを画素単位に駆動する駆動回路であり、ソースドライバ１２及びゲートドライバ１３には、複数の信号線Ｓ１〜ＳＭ（Ｍは、２以上の整数）及び複数の制御線Ｇ１〜ＧＮ（Ｎは、２以上の整数）がそれぞれ接続されている。これらの信号線Ｓ１〜ＳＭ及び制御線Ｇ１〜ＧＮは、マトリクス状に配列されており、当該マトリクス状に区画された各領域には、上記複数の各画素Ｐの領域が形成されている。また、これらの複数の画素Ｐには、赤色の画素、緑色の画素、及び青色の画素が含まれており、これら赤色、緑色、及び青色の画素は、例えばこの順番で、各制御線Ｇ１〜ＧＮに平行に順次配設されている。
【００４４】
また、各制御線Ｇ１〜ＧＮには、画素Ｐ毎に設けられるとともに、例えば薄膜トランジスタ（Thin Film Transistor）を用いたスイッチング素子１４のゲートが接続されている。一方、各信号線Ｓ１〜ＳＭには、スイッチング素子１４のソースが接続されている。また、各スイッチング素子１４のドレインには、画素Ｐ毎に設けられた画素電極１５が接続されている。また、各画素Ｐでは、共通電極１６が液晶パネル２に設けられた液晶層（図示せず）を間に挟んだ状態で画素電極１５に対向するよう構成されている。
【００４５】
また、パネル制御部９には、図３も参照して、画像処理部１７及び表示データ補正演算部１８が設けられており、入力された画像信号を使用して、ソースドライバ１２及びゲートドライバ１３への各指示信号を生成するように構成されている。つまり、画像処理部１７は、フレームメモリ１１に格納された画像信号の表示データに基づいてゲートドライバ１３への指示信号を生成して当該ゲートドライバ１３に出力する。これにより、ゲートドライバ１３は、画像処理部１７からの指示信号を基に制御線Ｇ１〜ＧＮに対して、対応するスイッチング素子１４のゲートをオン状態にするゲート信号を順次出力する。また、画像処理部１７は、上記表示データに基づいてソースドライバ１２への指示信号を生成して表示データ補正演算部１８に出力する。
【００４６】
表示データ補正演算部１８には、画像処理部１７からのソースドライバ１２への指示信号だけでなく、上記領域輝度演算部から各発光領域の輝度値が入力される。これらの各発光領域の輝度値は、周囲の発光領域の輝度値を用いて補正された後の輝度値であり、周囲の発光領域からの光のクロストークの影響が考慮された値である。そして、表示データ補正演算部１８は、後に詳述するように、ソースドライバ１２への指示信号について、上記の各発光領域の輝度値を用いて画素単位に補正し、新たな指示信号を生成してソースドライバ１２に出力する。これにより、ソースドライバ１２は、表示データ補正演算部１８からの指示信号に基づいて、上記表示面に表示される情報の輝度（階調）を指定する電圧信号（階調電圧）を信号線Ｓ１〜ＳＭに対して適宜出力する。
【００４７】
尚、上記の説明以外に、表示データ補正演算部１８がフレームメモリ１１から直接的に画像信号の表示データを取得して、画素Ｐ毎に、対応する発光領域の補正後の輝度値を用いて、取得した表示データを補正する構成でもよい。
【００４８】
バックライト制御部１０には、図４も参照して、領域輝度演算部１９と、ＬＥＤ駆動制御部２０とが設けられている。領域輝度演算部１９は、上記発光領域毎に、対応する表示領域に含まれた画素Ｐの輝度情報を、入力された画像信号から取得する。また、領域輝度演算部１９は、取得した画素Ｐの輝度情報を用いて、各発光領域での赤色、緑色、及び青色の各色の輝度値を演算して求める輝度演算処理を行うようになっている（詳細は後述）。
【００４９】
さらに、領域輝度演算部１９は、輝度演算処理を行うことによって求めた各色の輝度値に対して、後述の領域クロストーク補正処理を施すことにより、周囲の発光領域からの光のクロストークの影響を考慮した、補正後の各色の輝度値を求めるようになっている。そして、領域輝度演算部１９は、求めた各発光領域の補正後の各色の輝度値を表示データ補正演算部１８及びＬＥＤ駆動制御部２０に出力するようになっている。
【００５０】
以下、図５も参照して、液晶パネル２側及びバックライト装置３側にそれぞれ設けられた表示領域及び発光領域と、領域輝度演算部２４での輝度演算処理及び領域クロストーク補正処理とについて具体的に説明する。
【００５１】
図５は、上記バックライト装置に設けられた複数の発光領域と、これらの発光領域から光が照射される複数の表示領域の具体例を説明する図である。
【００５２】
まず、複数の発光領域と複数の表示領域について説明する。図５に例示するように、バックライト装置３では、液晶パネル２の表示面での横方向及び縦方向にそれぞれ平行に設けられる３行及び３列、合計９個の発光領域１−１、１−２、…、３−２、３−３が設けられている。これらの各発光領域１−１、１−２、…、３−２、３−３には、上述したように、発光ダイオード４、導光板５、及び遮光枠６が用いられている。
【００５３】
尚、図５では、各発光領域１−１、１−２、…、３−２、３−３を明確に図示するために、同図に縦線及び横線にて互いに区切って示しているが、実際には、各発光領域１−１、１−２、…、３−２、３−３は、バックライト装置３の筐体（図示せず）の内部に配設された仕切部材などによって互いに区切られていない。
【００５４】
また、発光領域１−１、１−２、…、３−２、３−３では、液晶パネル２の上記表示面上に設けられた９個の表示領域（１）、（２）、…、（８）、（９）に対して、対応する発光ダイオード４の光をそれぞれ入射させるように構成されている。これらの各表示領域（１）、（２）、…、（８）、（９）には、複数の画素Ｐが含まれている。具体的には、液晶パネル２において、横×縦方向に、例えば１９２０×１０８０個の画素Ｐが設けられているとき、各表示領域（１）、（２）、…、（８）、（９）には、６４０×３６０個の画素Ｐが含まれている。そして、液晶表示装置１では、マトリクス状の発光領域１−１、１−２、…、３−２、３−３とマトリクス状の表示領域（１）、（２）、…、（８）、（９）とが１対１の関係で設定されており、１つの表示領域に対し、１つの発光領域からの照明光が表示すべき情報に応じて適宜照射されるエリアアクティブバックライトが構成されている。
【００５５】
また、上記エリアアクティブバックライトでは、各発光領域１−１、１−２、…、３−２、３−３において、対応する発光ダイオード４に含まれた上記ＲＧＢの各発光ダイオードからのＲＧＢの各色光を液晶パネル２側に互いに独立して出射できるようになっている。これにより、液晶表示装置１では、各表示領域（１）、（２）、…、（８）、（９）に対して、表示すべき情報に応じてＲＧＢの各色光を対応する発光領域１−１、１−２、…、３−２、３−３から適切に入射させることができ、ＲＧＢの各色の再現性を容易に向上できるようになっている。
【００５６】
続いて、領域輝度演算部１９での輝度演算処理及び領域クロストーク補正処理について説明する。尚、以下の説明では、９個の発光領域１−１、１−２、…、３−２、３−３のうち、その中心部に位置する発光領域２−２の輝度値を求める場合を例示して、説明する。
【００５７】
領域輝度演算部１９では、上記発光領域１−１、１−２、…、３−２、３−３にそれぞれ対応した９個の表示領域（１）、（２）、…、（８）、（９）の画像信号に関して、輝度演算処理を各々行うことにより、対応する発光領域１−１、１−２、…、３−２、３−３での赤色、青色、及び緑色の各色の輝度値が求められる。
【００５８】
具体的には、領域輝度演算部１９は、フレームメモリ１１から表示領域（１）に含まれた複数の画素Ｐ（例えば、６４０×３６０個の画素Ｐ）の輝度情報を取得する。そして、領域輝度演算部１９は、取得した輝度情報に対して輝度演算処理を行うことにより、赤色、青色、及び緑色の色毎に、例えば最大輝度値のデータが抽出されて、表示領域（１）に対応した発光領域１−１での各色の輝度値とされる。つまり、領域輝度演算部１９が、輝度演算処理を実行することにより、表示領域（１）に含まれた複数の画素Ｐにおいて、最も高い輝度で、赤色に表示すべき画素Ｐの輝度値が発光領域１−１での赤色の輝度値として選定される。
【００５９】
また、この輝度演算処理では、ノイズ除去を行うためのフィルタリング処理が実施されており、ノイズの悪影響を確実に排除できるようになっている。つまり、領域輝度演算部１９では、ノイズの混入により、周りの画素Ｐに比べて異常に輝度値の高い画素Ｐがある場合などにおいて、その輝度値が最大輝度値として抽出されるのを防止できるように構成されている。
【００６０】
同様に、表示領域（１）に含まれた複数の画素Ｐにおいて、最も高い輝度で、緑色に表示すべき画素Ｐの輝度値が発光領域１−１での緑色の輝度値として選定される。同様に、表示領域（１）に含まれた複数の画素Ｐにおいて、最も高い輝度で、青色に表示すべき画素Ｐの輝度値が発光領域１−１での青色の輝度値として選定される。そして、領域輝度演算部１９は、選定した赤色、青色、及び緑色の各色の輝度値を発光領域１−１の輝度値として定める。
【００６１】
また、領域輝度演算部１９は、同様に、発光領域１−２、１−３、２−１、２−２、２−３、３−１、３−２、３−３での赤色、青色、及び緑色の各色の輝度値を求める。そして、領域輝度演算部１９では、発光領域２−２の輝度値について、赤色、青色、及び緑色の色毎に、その周囲の発光領域１−１、１−２、１−３、２−１、２−３、３−１、３−２、３−３の輝度値を用いた領域クロストーク補正処理が行われる。
【００６２】
この領域クロストーク補正処理では、領域輝度演算部１９が、図示を省略したメモリ内に格納された補正係数を用いて、求めた輝度値を補正することにより、赤色、青色、及び緑色の色毎に、各発光領域の補正後の輝度値を算出するようになっている。
【００６３】
つまり、例えば発光領域２−２では、その周囲の発光領域１−１、１−２、１−３、２−１、２−３、３−１、３−２、３−３からの光によって、赤色、青色、及び緑色の色毎に、各色光の輝度が上昇する。そこで、実製品を用いた試験またはシミュレーションの結果などを行うことにより、赤色、青色、及び緑色の各色での輝度上昇分を相殺するような補正係数を予め求めて、上記メモリに保持させる。そして、領域輝度演算部１９は、輝度演算処理で求めた発光領域２−２の各色の輝度値と、メモリに保持されている補正係数とを用いることにより、発光領域２−２の各色の補正後の輝度値が算出される。そして、領域輝度演算部１９は、求めた各発光領域の補正後の各色の輝度値を表示データ補正演算部１８及びＬＥＤ駆動制御部２０に出力する。
【００６４】
また、上述の補正係数は、実製品を用いた試験またはシミュレーションの結果などから定められているので、液晶パネル３の内部構造や、拡散板や光学シートの有無などによる輝度変化を考慮したものであり、液晶表示装置１でのクロストークの影響をより確実に排除して、表示品位の向上をより容易に行えるようになっている。
【００６５】
図４に戻って、ＬＥＤ駆動制御部２０は、光源を点灯駆動する駆動制御部を構成しており、領域輝度演算部１９からの複数の各発光領域の補正後の輝度値に基づき、上記ＲＧＢの対応する発光ダイオードの各点灯期間を決定するとともに、決定した点灯期間に応じて、当該ＲＧＢの各発光ダイオードをＰＷＭ調光にて点灯駆動するようになっている。つまり、ＬＥＤ駆動制御部２０では、領域輝度演算部１９にて定められた輝度値に応じて、ＰＷＭ調光でのオン／オフデューティが決定され、その決定されたオン／オフデューティを指示する信号が指示信号として、図示を省略した点灯駆動回路に出力される。そして、点灯駆動回路は、指示信号に基づき、ＲＧＢの各発光ダイオードに電力供給を行うことにより、これらＲＧＢの各発光ダイオードを点灯駆動する。
【００６６】
一方、表示データ補正演算部１８では、領域輝度演算部１９から各発光領域１−１、１−２、…、３−２、３−３での赤色、緑色、及び青色の各色の輝度値が伝えられると、これらの輝度値を用いて、画像処理部１７から入力されたソースドライバ１２への指示信号を補正して、新たな指示信号としてソースドライバ１２に出力する。すなわち、表示データ補正演算部１８は、画像処理部１７が上記画像信号に応じて定めた赤色、緑色、及び青色の画素単位の階調電圧に対して、領域輝度演算部１９からの対応する色の輝度値を基に補正して、新たな階調電圧とする。そして、表示データ補正演算部１８は、赤色、緑色、及び青色の画素単位の新たな階調電圧を指示する指示信号を生成して、ソースドライバ１２に出力する。
【００６７】
この結果、液晶パネル２では、表示データ補正演算部１８からの新たな階調電圧に応じて、バックライト装置３の対応する発光領域１−１、１−２、…、３−２、３−３からの照明光の透過率が赤色、緑色、及び青色の画素単位に変更される。このように、本実施形態の液晶表示装置１では、パネル制御部９が複数の各発光領域１−１、１−２、…、３−２、３−３の補正後の輝度値を用いて画像信号を補正し、補正後の画像信号に基づいて、液晶パネル２の駆動制御が画素単位に行われる。これにより、本実施形態の液晶表示装置１では、入力された画像信号及びバックライト装置３からの照明光に応じて、各画素Ｐをより適切に駆動することができ、表示品位の低下をより確実に防ぐことができる。
【００６８】
次に、図６及び図７も参照して、本実施形態のバックライト装置３の構成について具体的に説明する。
【００６９】
図６（ａ）及び図６（ｂ）は、それぞれ上記バックライト装置の要部構成を説明する平面図及び側面図である。図７（ａ）及び図７（ｂ）は、それぞれ発光領域に設けられた発光ダイオード、導光板、及び遮光部材を示す斜視図及び側面図である。
【００７０】
図６（ａ）に示すように、バックライト装置３には、９個の発光領域に応じて、９組の発光ダイオード４、導光板５、及び遮光枠６が設けられている。すなわち、これらの９組の発光ダイオード４、導光板５、及び遮光枠６は、液晶パネル２の縦方向（図にＸ方向にて図示）及び横方向（図にＹ方向にて図示）の各々３個ずつ設置されており、上記発光領域１−１、１−２、…、３−２、３−３にそれぞれ用いられている。また、バックライト装置３では、図６（ａ）及び図６（ｂ）に示すように、上記Ｘ方向及びＹ方向の各々の方向において、隣接する発光領域の間で所定の隙間Ｈｘ及びＨｙをおいて、発光ダイオード４、導光板５、及び遮光枠６の組が設置されている。これにより、本実施形態の液晶表示装置１では、隣接する発光領域の相互間で光が不必要に出射されるのを容易に阻止することができる。
【００７１】
また、図７（ａ）及び図７（ｂ）も参照して、発光ダイオード４は、導光板５の入光面５ａに対向するように設置されており、当該発光ダイオード４からの光は、図７（ａ）に矢印にて例示するように、入光面５ａを経て導光板５の内部に入光するようになっている。また、導光板５には、入光面５ａから入光された光を対応する表示領域に発光する発光面５ｂが設けられている。すなわち、この発光面５ｂは、複数の各発光領域１−１、１−２、…、３−２、３−３の発光面を構成するものであり、発光面５ｂは、液晶パネル２に対向して配置されている。そして、導光板５では、入光面５ａから入光された光を、当該入光面５ａに対向する側面５ｄ側に導きつつ、適宜発光面５ｂから液晶パネル２側に発光するようになっている。尚、導光板５では、発光面５ｂに対向する表面側（底面側）にシボ加工が施されたり、底面側をプリズム状に加工したりすることで、当該底面側に進行してきた光を導光板内部側に反射するようになっており、発光面５ｂからの光に輝度ムラを極力生じないようになっている。
【００７２】
また、導光板５では、入光面５ａ以外の側面５ｃ、５ｄ、５ｅに、“Ｕ”字状の遮光枠６が取り付けられている。すなわち、導光板５には、隣接する発光領域との境界側の側面５ｃ、５ｄ、５ｅに対して、入光面５ａから入光された光が外部に出射されるのを遮光する遮光枠６が設けられている。
【００７３】
また、遮光枠６には、光反射性を有する合成樹脂、好ましくは光反射率が９５％以上である、例えばポリカーボネート樹脂からなる遮光部材が用いられている。そして、図７（ｂ）に矢印にて例示するように、遮光枠６は、導光板５の内部を進行してきた光を、外部に漏れ出すことなく、側面５ｃ、５ｄ、５ｅとの各境界面で反射し、発光面５ｂから液晶パネル２側に適宜出射させるようになっている。尚、上記の説明以外に、少なくとも導光板５に面する側に光反射性を有する合成樹脂を用いて、遮光枠を構成してもよい。
【００７４】
以上のように構成された本実施形態の液晶表示装置１では、上記複数の各発光領域において、発光ダイオード（光源）４と、発光ダイオード４からの光が入光される入光面５ａ、及び入光面５ａから入光された光を対応する表示領域に発光する発光面５ｂを有する導光板５とが設けられている。また、導光板５には、隣接する発光領域との境界側の側面５ｃ、５ｄ、５ｅに対して、入光面５ａから入光された光が外部に出射されるのを遮光する遮光枠６が設けられている。これにより、本実施形態の液晶表示装置１では、上記発光面５ｂから発光される光に輝度ムラが生じるのを抑制することができるとともに、遮光枠６によって、隣接する発光領域に光が出射されるのを阻止することができる。この結果、本実施形態の液晶表示装置１では、上記従来例と異なり、複数の発光領域が設けられている場合でも、各発光領域からの照明光の発光品位が低下するのを防ぐことができ、表示品位が低下するのを防止することができる。
【００７５】
また、本実施形態の液晶表示装置１では、遮光枠６として、合成樹脂製の遮光部材が用いられているので、当該遮光部材が隣接する発光領域に光が出射されるのを阻止して、各発光領域からの照明光の発光品位の低下を防止することができる。
【００７６】
［第１の実施形態の変形例］
図８は、第１の実施形態の変形例にかかる液晶表示装置での遮光部材を示す平面図である。図において、本実施形態と上記第１の実施形態との主な相違点は、遮光枠として、全ての発光領域に一体的に設置される格子状の遮光部材を用いた点である。なお、上記第１の実施形態と共通する要素については、同じ符号を付して、その重複した説明を省略する。
【００７７】
つまり、図８に示すように、本実施形態のバックライト装置３では、遮光枠６’として、全ての発光領域に一体的に設置される格子状の遮光部材が用いられている。この遮光枠６’には、第１の実施形態のものと同様に、光反射性を有する合成樹脂、好ましくは光反射率が９５％以上である、例えばポリカーボネート樹脂からなる遮光部材が用いられている。
【００７８】
また、遮光枠６’には、上記９個の発光領域１−１、１−２、…、３−２、３−３に応じて、９個の矩形状の空間が形成されており、各空間には、発光ダイオード４及び導光板５が配置されている。また、導光板５は、側面５ｃ、５ｄ、５ｅが遮光枠６’と当接した状態で、当該遮光枠６’の上記空間内に設置されている。
【００７９】
以上の構成により、本実施形態では、上記第１の実施形態と同様な作用・効果を奏することができる。また、本実施形態では、遮光枠６’として、全ての発光領域に一体的に設置される格子状の遮光部材を用いているので、発光領域の設置数が多いときでも、遮光枠６’の部品点数を少なくすることができるとともに、組立作業が簡単なバックライト装置（バックライト部）３を容易に構成することができる。
【００８０】
［第２の実施形態］
図９は、本発明の第２の実施形態にかかる液晶表示装置の全体構成を説明する斜視図である。図１０（ａ）及び図１０（ｂ）は、図９に示した液晶表示装置における、発光領域に設けられた発光ダイオード、導光板、及び遮光部材をそれぞれ示す斜視図及び側面図である。図において、本実施形態と上記第１の実施形態との主な相違点は、合成樹脂製の遮光部材に代えて、遮光テープを用いた点である。なお、上記第１の実施形態と共通する要素については、同じ符号を付して、その重複した説明を省略する。
【００８１】
つまり、図９に示すように、本実施形態の液晶表示装置１では、上記９個の各発光領域１−１、１−２、…、３−２、３−３において、発光ダイオード４、導光板５、及び遮光枠２１が設けられている。
【００８２】
遮光枠２１には、所定の遮光インクを使用した遮光テープが用いられている。具体的にいえば、遮光枠２１には、図１０（ａ）及び図１０（ｂ）に示すように、導光板５の側面５ｃ、５ｄ、５ｅにそれぞれ設置された遮光テープ２１ａ、２１ｂ、２１ｃが用いられている。これらの遮光テープ２１ａ、２１ｂ、２１ｃでは、光を遮光する遮光インクと、光を反射する反射インクとが用いられている。
【００８３】
具体的には、遮光テープ２１ａ、２１ｂ、２１ｃは、透明な合成樹脂（例えば、ポリエステル樹脂）からなる基材と、この基材の導光板５とは反対側の表面に塗布された、例えばカーボンを含有した黒色の遮光インクと、上記基材の導光板５に面する側に塗布された、酸化チタン（ＴｉＯ2）や沈降性硫酸バリウム（ＢａＳＯ4）などの光反射率の高い顔料とアクリル系のバインダーを練り合わせた反射インクとを備えている。そして、遮光テープ２１ａ〜２１ｃは、図１０（ｂ）に矢印にて例示するように、導光板５の内部を進行してきた光を、外部に漏れ出すことなく、側面５ｃ、５ｄ、５ｅとの各境界面で反射し、発光面５ｂから液晶パネル２側に適宜出射させるようになっている。尚、上記の説明以外に、反射インクを導光板５に面する側に塗布した反射テープを遮光枠として用いたり、遮光枠として導光板５の側面５ｃ、５ｄ、５ｅに上記遮光インクや反射インクを直接的に塗布したりすることもできる。
【００８４】
以上の構成により、本実施形態では、上記第１の実施形態と同様な作用・効果を奏することができる。また、本実施形態では、遮光枠２１として、遮光インクを使用した遮光テープ２１ａ〜２１ｃを用いているので、上記遮光インクが隣接する発光領域に光が出射されるのを阻止して、各発光領域からの照明光の発光品位の低下を防止することができる。
【００８５】
［第３の実施形態］
図１１は、本発明の第３の実施形態にかかる液晶表示装置の全体構成を説明する斜視図である。図１２は、図１１に示した液晶表示装置の要部構成を説明する図である。図において、本実施形態と上記第１の実施形態との主な相違点は、導光板の液晶パネル側に所定のギャップをおいて拡散板を配置した点である。なお、上記第１の実施形態と共通する要素については、同じ符号を付して、その重複した説明を省略する。
【００８６】
つまり、図１１及び図１２に示すように、本実施形態の液晶表示装置１では、導光板５の液晶パネル２側に所定のギャップをおいて拡散板２２が配置されるとともに、この拡散板２２の液晶パネル２側（導光板５の上方）に光学シート２３が配置されている。拡散板２２は、図１２の矢印にて示すように発光面５ｂから発光された光を入射し、その入射した光を拡散して、光学シート２３側に出射するようになっている。これにより、本実施形態の液晶表示装置１では、拡散板２２にて隣接する２つの発光領域の境界部が暗線となるのを防ぐことができる。
【００８７】
また、光学シート２３には、例えばプリズム（集光）シートや偏光シートなどの公知の光学シート材が用いられており、バックライト装置３からの上記照明光の輝度上昇等が適宜行われて、液晶表示装置１の表示性能を向上させるようになっている。
【００８８】
以上の構成により、本実施形態では、上記第１の実施形態と同様な作用・効果を奏することができる。また、本実施形態では、拡散板２２によって、隣接する２つの発光領域の境界部が暗線となるのを防ぐことができるので、バックライト装置（バックライト部）３の発光品位が暗線に起因して低下するのを防止することができる。さらに、本実施形態では、光学シート２３によって各発光領域からの照明光の発光品位を向上させることができる。
【００８９】
［第４の実施形態］
図１３は、本発明の第４の実施形態にかかる液晶表示装置の全体構成を説明する斜視図である。図において、本実施形態と上記第３の実施形態との主な相違点は、合成樹脂製の遮光部材に代えて、遮光テープを用いた点である。なお、上記第３の実施形態と共通する要素については、同じ符号を付して、その重複した説明を省略する。
【００９０】
つまり、図１３において、本実施形態の液晶表示装置１では、第３の実施形態と同様に、導光板５の液晶パネル２側に所定のギャップをおいて拡散板２２及び光学シート２３が順次配置されている。また、本実施形態のバックライト装置３では、上記の各発光領域１−１、１−２、…、３−２、３−３において、第２の実施形態と同様に、遮光インクを使用した上記遮光テープからなる遮光枠２１が用いられている。
【００９１】
以上の構成により、本実施形態では、上記第３の実施形態と同様な作用・効果を奏することができる。また、本実施形態では、第２の実施形態と同様に、遮光枠２１として、遮光インクを使用した遮光テープ２１ａ〜２１ｃを用いているので、上記遮光インクが隣接する発光領域に光が出射されるのを阻止して、各発光領域からの照明光の発光品位の低下を防止することができる。
【００９２】
［第５の実施形態］
図１４（ａ）及び図１４（ｂ）は、本発明の第５の実施形態にかかる液晶表示装置における、バックライト装置の要部構成をそれぞれ説明する平面図及び側面図である。図１５（ａ）及び図１５（ｂ）は、図１４に示した液晶表示装置における、発光領域に設けられた発光ダイオード、導光板、及び遮光部材をそれぞれ示す側面図及び斜視図である。図において、本実施形態と上記第１の実施形態との主な相違点は、遮光枠において、その発光面側の端部が当該発光面よりも低い位置となるように、対応する導光板の側面に設置した点である。なお、上記第１の実施形態と共通する要素については、同じ符号を付して、その重複した説明を省略する。
【００９３】
つまり、図１４（ａ）及び図１４（ｂ）に示すように、本実施形態のバックライト装置３では、上記の各発光領域１−１、１−２、…、３−２、３−３において、“Ｕ”字状の遮光枠２４が導光板５の側面５ｃ、５ｄ、５ｅに取り付けられている。この遮光枠２４には、第１の実施形態のものと同様に、光反射性を有する合成樹脂、好ましくは光反射率が９５％以上である、例えばポリカーボネート樹脂からなる遮光部材が用いられている。
【００９４】
また、遮光枠２４では、図１５（ａ）及び図１５（ｂ）に示すように、その発光面５ｂ側の端部が当該発光面５ｂよりも低い位置となるように、対応する導光板５の側面５ｃ、５ｄ、５ｅに設置されている。
【００９５】
ここで、図１６も参照して、本実施形態の液晶表示装置１の動作例について具体的に説明する。尚、以下の説明では、遮光枠２４の作用・効果について主に説明する。
【００９６】
図１６は、図１４に示した液晶表示装置の動作例を説明する図である。
【００９７】
図１６に示すように、本実施形態のバックライト装置３の遮光枠２４では、その発光面５ｂ側の端部が当該発光面５ｂよりも低い位置となるように、対応する導光板５の側面５ｃ、５ｄ、５ｅに設置されている。つまり、導光板５の発光面５ｂと、遮光枠２４との間に、空気層が形成されている。このため、本実施形態のバックライト装置３では、図１６に点線の矢印にて例示するように、導光板５の内部に入光した発光ダイオード４からの光の一部は、上記空気層（つまり、遮光枠２４で覆われていない側面５ｃ、５ｄ、５ｅの部分）から外部に出射される。これにより、本実施形態のバックライト装置３では、隣接する２つの発光領域の境界部が暗線となるのを防ぐことができる。
【００９８】
以上の構成により、本実施形態では、上記第１の実施形態と同様な作用・効果を奏することができる。また、本実施形態の遮光枠２４では、その発光面５ｂ側の端部が当該発光面５ｂよりも低い位置となるように、対応する導光板５の側面５ｃ、５ｄ、５ｅに設置されているので、隣接する２つの発光領域の境界部が暗線となるのを防ぐことができ、バックライト装置（バックライト部）３の発光品位が暗線に起因して低下するのを防止することができる。
【００９９】
［第６の実施形態］
図１７（ａ）及び図１７（ｂ）は、本発明の第６の実施形態にかかる液晶表示装置における、バックライト装置の要部構成をそれぞれ説明する平面図及び側面図である。図において、本実施形態と上記第５の実施形態との主な相違点は、２つの発光領域用の導光板を一体的に形成した形成品を用いた点である。なお、上記第５の実施形態と共通する要素については、同じ符号を付して、その重複した説明を省略する。
【０１００】
つまり、図１７（ａ）及び図１７（ｂ）において、本実施形態のバックライト装置３では、隣接する２つの発光領域単位に設けられた導光板２５と、この導光板２５に設置されるとともに、発光領域単位に光を遮光する遮光枠２６とが設けられている。また、本実施形態の液晶表示装置１では、上記実施形態と異なり、上記Ｘ方向及びＹ方向にそれぞれ沿って４個及び３個の発光領域及び表示領域が設定されている。すなわち、本実施形態の液晶表示装置１では、図１８に示すように、バックライト装置３には、合計１２個の発光領域１−１、１−２、…、４−２、４−３が設けられ、液晶パネル２には、発光領域１−１、１−２、…、４−２、４−３からの照明光がそれぞれ入射される、合計１２個の表示領域（１）、（２）、…、（１１）、（１２）が設定されている。そして、本実施形態のバックライト装置３では、Ｘ方向に隣接する２つの発光領域単位に、２個の発光ダイオード４、導光板２５、及び遮光枠２６が用いられている。
【０１０１】
具体的にいえば、本実施形態のバックライト装置３では、例えば発光領域１−１、２−１の各々の発光ダイオード４と、発光領域１−１、２−１用の導光板を一体的に形成した導光板２５と、発光領域１−１、２−１用の遮光枠を一体的に形成した遮光枠２６が用いられている。
【０１０２】
ここで、図１９（ａ）及び図１９（ｂ）も参照して、本実施形態のバックライト装置３の要部構成について説明する。
【０１０３】
図１９（ａ）及び図１９（ｂ）は、図１７に示した液晶表示装置における、発光領域に設けられた発光ダイオード、導光板、及び遮光部材をそれぞれ示す側面図及び斜視図である。
【０１０４】
図１９（ａ）及び図１９（ｂ）に示すように、隣接する２つの各発光領域用の発光ダイオード４がＸ方向に沿って配置されている。また、これら２個の発光ダイオード４は、それぞれ導光板２５に発光領域単位に設けられた入光面２５ａ１、２５ａ２に対向して配置されている。
【０１０５】
導光板２５は、発光領域単位に設けられた発光面２５ｂ１、２５ｂ２と、発光領域単位に設けられた側面２５ｃ１、２５ｃ２、２５ｄ１、２５ｄ２、２５ｅ１、２５ｅ２を備えている。また、導光板２５では、隣接する２つの発光領域の境界部分に溝２５ｆが形成されており、後述の遮光テープ２６ｂが設置されている。
【０１０６】
遮光枠２６には、第２の実施形態と同様に、遮光インクを使用した上記遮光テープが用いられている。具体的にいえば、遮光枠２６には、側面２５ｃ１に設置される遮光テープ２６ａ、溝２５ｆ内に設置されることにより一方及び他方の面が側面２５ｅ１及び２５ｃ２に設置される遮光テープ２６ｂ、側面２５ｅ２に設置される遮光テープ２６ｃ、及び側面２５ｄ１、２５ｄ２に設置される遮光テープ２６ｄが設けられている。また、遮光テープ２６ｂは、溝２５ｆ内に設置されているので、当該遮光テープ２６ｂの設置作業を簡単に行えるようになっている。
【０１０７】
また、これらの遮光テープ２６ａ〜２６ｄは、第５の実施形態のものと同様に、その発光面２５ｂ１、２５ｂ２側の端部が当該発光面２５ｂ１、２５ｂ２よりも低い位置となるように、対応する導光板２５の側面２５ｃ１、２５ｃ２、２５ｄ１、２５ｄ２、２５ｅ１、２５ｅ２に設置されている。これにより、本実施形態では、第５の実施形態のものと同様に、隣接する２つの発光領域の境界部が暗線となるのを防ぐことができ、バックライト装置（バックライト部）３の発光品位が暗線に起因して低下するのを防止することができる。
【０１０８】
以上の構成により、本実施形態では、上記第５の実施形態と同様な作用・効果を奏することができる。また、本実施形態では、導光板２５として、２の発光領域用の導光板を一体的に形成した形成品が用いられているので、上記の各実施形態のものに比べて、バックライト装置３の組立作業の簡単化を図ることができ、液晶表示装置１の生産性を向上させることができる。
【０１０９】
［第７の実施形態］
図２０（ａ）及び図２０（ｂ）は、本発明の第７の実施形態にかかる液晶表示装置における、バックライト装置の要部構成をそれぞれ説明する平面図及び側面図である。図２１（ａ）及び図２１（ｂ）は、図２０に示した液晶表示装置における、発光領域に設けられた発光ダイオード、導光板、及び遮光部材をそれぞれ示す側面図及び斜視図である。図において、本実施形態と上記第６の実施形態との主な相違点は、導光板の外周部分にも、溝を設けて、遮光枠の全ての遮光部材を設置可能とした点である。なお、上記第６の実施形態と共通する要素については、同じ符号を付して、その重複した説明を省略する。
【０１１０】
つまり、図２０（ａ）及び図２０（ｂ）において、本実施形態のバックライト装置３では、隣接する２つの発光領域単位に設けられた導光板２７と、この導光板２７に設置されるとともに、発光領域単位に光を遮光する遮光枠２６とが設けられている。また、本実施形態の液晶表示装置１では、上記第６の実施形態と同様に、上記Ｘ方向及びＹ方向にそれぞれ沿って４個及び３個の発光領域及び表示領域が設定されている。また、本実施形態のバックライト装置３では、上記第６の実施形態と同様に、Ｘ方向に隣接する２つの発光領域単位に、２個の発光ダイオード４、導光板２７、及び遮光枠２６が用いられている。
【０１１１】
また、図２１（ａ）及び図２１（ｂ）に示すように、隣接する２つの各発光領域用の発光ダイオード４がＸ方向に沿って配置されている。また、これら２個の発光ダイオード４は、それぞれ導光板２７に発光領域単位に設けられた入光面２７ａ１、２７ａ２に対向して配置されている。
【０１１２】
導光板２７は、発光領域単位に設けられた発光面２７ｂ１、２７ｂ２と、発光領域単位に設けられた側面２７ｃ１、２７ｃ２、２７ｄ１、２７ｄ２、２７ｅ１、２７ｅ２を備えている。また、導光板２７では、遮光枠２６に含まれた遮光テープ２６ａ、２６ｂ、２６ｃ、及び２６ｄをそれぞれ設置するための溝２７ｆ１、２７ｆ２、２７ｆ３、及び２７ｆ４が形成されている。すなわち、導光板２７では、隣接する２つの発光領域の境界部分に溝２７ｆ２を形成するとともに、外周部分にも、溝２７ｆ１、２７ｆ３、２７ｆ４を設けている。
【０１１３】
以上の構成により、本実施形態では、上記第６の実施形態と同様な作用・効果を奏することができる。また、本実施形態では、導光板２７の外周部分にも、溝２７ｆ１、２７ｆ３、２７ｆ４を設けて、遮光枠２６の全ての遮光部材２６ａ〜２６ｄを設置可能としているので、導光板２７に対して、遮光枠２６をより容易に設置することができ、液晶表示装置１の生産性を向上させることができる。
【０１１４】
［第８の実施形態］
図２２（ａ）及び図２２（ｂ）は、本発明の第８の実施形態にかかる液晶表示装置における、バックライト装置の要部構成をそれぞれ説明する平面図及び側面図である。図において、本実施形態と上記第７の実施形態との主な相違点は、全ての発光領域用の導光板を一体的に形成した形成品を用いた点である。なお、上記第７の実施形態と共通する要素については、同じ符号を付して、その重複した説明を省略する。
【０１１５】
つまり、図２２（ａ）及び図２２（ｂ）において、本実施形態のバックライト装置３では、全ての発光領域用の導光板を一体的に形成した形成品を用いた導光板２８と、この導光板２８に設置されるとともに、発光領域単位に光を遮光する遮光枠２９とが設けられている。また、本実施形態の液晶表示装置１では、上記第６の実施形態と同様に、上記Ｘ方向及びＹ方向にそれぞれ沿って４個及び３個の発光領域及び表示領域が設定されている。また、本実施形態のバックライト装置３では、発光領域単位に設けられた１２個の発光ダイオード４、導光板２８、及び遮光枠２９が用いられている。
【０１１６】
具体的にいえば、導光板２８には、１２個の各発光ダイオード４を配置するための溝２８ｆ１が形成されている。また、導光板２８には、Ｙ方向に平行に設けられた５つの溝２８ｆ２と、Ｘ方向に平行に設けられた３つの溝２８ｆ３が形成されている。そして、導光板２８では、これらの溝２８ｆ２、２８ｆ３によって合計１２個の発光領域の発光面２８ｂが区画されている。また、導光板２８では、溝２８ｆ１内に発光ダイオード４が配置されたときに、当該発光ダイオード４からの光を入光する入光面２８ａが発光領域単位に形成されている。さらに、導光板２８では、溝２８ｆ２、２８ｆ３によって側面２８ｃ、２８ｄ、２８ｅが発光領域単位に形成されている。
【０１１７】
遮光枠２９には、第２の実施形態と同様に、遮光インクを使用した上記遮光テープが用いられている。具体的にいえば、遮光枠２９には、溝２９ａ内に設置される遮光テープ２９ａと、溝２９ｂ内に設置される遮光テープ２９ｂとが設けられている。また、これらの遮光テープ２９ａ、２９ｂは、第５の実施形態のものと同様に、その発光面２８ｂ側の端部が当該発光面２８ｂよりも低い位置となるように、対応する導光板２８の側面２８ｃ、２８ｄ、２８ｅに設置されている。これにより、本実施形態では、第５の実施形態のものと同様に、隣接する２つの発光領域の境界部が暗線となるのを防ぐことができ、バックライト装置（バックライト部）３の発光品位が暗線に起因して低下するのを防止することができる。
【０１１８】
ここで、図２３も参照して、本実施形態の液晶表示装置１の動作例について具体的に説明する。尚、以下の説明では、遮光枠２９の作用・効果について主に説明する。
【０１１９】
図２３は、図２２に示した液晶表示装置の動作例を説明する図である。
【０１２０】
図２３に例示するように、本実施形態のバックライト装置３の遮光枠２９では、遮光テープ２９ａにおいて、その発光面２８ｂ側の端部が当該発光面２８ｂよりも低い位置となるように、対応する導光板２８の側面２８ｃ、２８ｅに設置されている。このため、本実施形態のバックライト装置３では、図２３に点線の矢印にて例示するように、導光板２８の内部に入光した発光ダイオード４からの光の一部は、遮光枠２９の遮光テープ２９ａで覆われていない側面２８ｃ、２８ｅの部分から隣接する発光領域の発光面２８ｂ側に出射される。これにより、本実施形態のバックライト装置３では、隣接する２つの発光領域の境界部が暗線となるのを防ぐことができる。
【０１２１】
以上の構成により、本実施形態では、上記第７の実施形態と同様な作用・効果を奏することができる。また、本実施形態では、導光板２８として、全ての発光領域用の導光板を一体的に形成した形成品が用いられているので、上記の各実施形態のものに比べて、バックライト装置３の組立作業の簡単化をより容易に図ることができ、液晶表示装置１の生産性を向上させることができる。
【０１２２】
尚、上記の実施形態はすべて例示であって制限的なものではない。本発明の技術的範囲は特許請求の範囲によって規定され、そこに記載された構成と均等の範囲内のすべての変更も本発明の技術的範囲に含まれる。
【０１２３】
例えば、上記の説明では、本発明を透過型の液晶表示装置に適用した場合について説明したが、本発明の表示装置はこれに限定されるものではなく、光源の光を利用して、情報を表示する非発光型の各種表示装置に適用することができる。具体的にいえば、半透過型の液晶表示装置、あるいは上記液晶パネルをライトバルブに用いたリアプロジェクションなどの投写型表示装置に本発明の表示装置を好適に用いることができる。
【０１２４】
また、上記第１〜第５の各実施形態の説明では、９個の発光領域及び表示領域を設けた場合について説明し、上記第６〜第８の各実施形態の説明では、１２個の発光領域及び表示領域を設けた場合について説明した。しかしながら、本発明は表示部に設定された複数の表示領域に対して、光源の光をそれぞれ入射させる複数の発光領域が設けられたものであればよく、発光領域及び表示領域の各設置数は上記のものに何等限定されない。
【０１２５】
また、上記の説明では、複数の各発光領域に、一つの発光ダイオード（光源）及び一つの導光板を用いた場合について説明したが、本発明の発光領域は少なくとも一つの光源と、この少なくとも一つの光源からの光が入光される入光面、及び入光面から入光された光を対応する表示領域に発光する発光面を有する導光板を用いたものであれば何等限定されない。具体的には、一つの発光ダイオードと一つの導光板を一組として、複数組の発光ダイオード及び導光板を一つの発光領域に用いてもよい。つまり、一つの発光領域として、複数の導光板を遮光枠によって取り囲んだものを用いてもよい。また、複数の発光ダイオードを入光面に対向して配置したり、導光板の互いに対向する２つの各側面に発光ダイオードを対向配置して２つの入光面を設けたりする構成でもよい。
【０１２６】
また、上記の説明では、光反射性を有する遮光枠（遮光部材または遮光テープ（遮光インクを含む。））を用いた場合について説明したが、本発明の遮光枠はこれに限定されるものではなく、導光板の、隣接する発光領域との境界側の側面に設けられて、入光面から入光された光が外部に出射されるのを遮光するものであればよい。
【０１２７】
但し、上記の各実施形態のように、少なくとも導光板に面する側が光反射性を有している遮光枠を用いる場合の方が、光源の光利用効率を向上させることができる点で好ましい。
【０１２８】
また、上記の説明では、光源に発光ダイオードを用いた場合について説明したが、本発明の光源はこれに限定されるものではなく、ランプ等の他の点光源や、冷陰極蛍光管などの放電管や、有機ＥＬ（Electronic Luminescence）などの他の発光素子を光源に用いることもできる。
【０１２９】
但し、上記の各実施形態のように、光源に発光ダイオードを用いる場合の方が、バックライト部の小型化を容易に図ることができ、コンパクトな表示装置を容易に構成することができる点で好ましい。
【０１３０】
また、上記の説明以外に、第１〜第８の各実施形態（変形例も含む。）を適宜組み合わせたものでもよい。
【産業上の利用可能性】
【０１３１】
本発明は、複数の発光領域が設けられている場合でも、各発光領域からの照明光の発光品位が低下するのを防ぐことができる表示品位に優れた表示装置に対して有用である。
【符号の説明】
【０１３２】
１  液晶表示装置（表示装置）
２  液晶パネル（表示部）
３  バックライト装置（バックライト部）
４  発光ダイオード（光源）
５、２５、２７、２８  導光板
５ａ、２５ａ１、２５ａ２、２７ａ１、２７ａ２、２８ａ  入光面
５ｂ、２５ｂ１、２５ｂ２、２７ｂ１、２７ｂ２、２８ｂ  発光面
５ｃ、５ｄ、５ｅ、２５ｃ１、２５ｃ２、２５ｄ１、２５ｄ２、２５ｅ１、２５ｅ２、２７ｃ１、２７ｃ２、２７ｄ１、２７ｄ２、２７ｅ１、２７ｅ２、２８ｃ、２８ｄ、２８ｅ  側面
２５ｆ、２７ｆ１、２７ｆ２、２７ｆ３、２７ｆ４、２８ｆ２、２８ｆ３  溝
６、２１、２４、２６、２９  遮光枠
２２  拡散板
２３  光学シート
１−１、１−２、１−３、１−４、２−１、２−２、２−３、２−４、３−１、３−２、３−３、３−４  発光領域
（１）、（２）、（３）、（４）、（５）、（６）、（７）、（８）、（９）、（１０）、（１１）、（１２）  表示領域
Ｐ  画素
【図１】
2010276789.tif 000003
【図２】
2010276789.tif 000004
【図３】
2010276789.tif 000005
【図４】
2010276789.tif 000006
【図５】
2010276789.tif 000007
【図６】
2010276789.tif 000008
【図７】
2010276789.tif 000009
【図８】
2010276789.tif 000010
【図９】
2010276789.tif 000011
【図１０】
2010276789.tif 000012
【図１１】
2010276789.tif 000013
【図１２】
2010276789.tif 000014
【図１３】
2010276789.tif 000015
【図１４】
2010276789.tif 000016
【図１５】
2010276789.tif 000017
【図１６】
2010276789.tif 000018
【図１７】
2010276789.tif 000019
【図１８】
2010276789.tif 000020
【図１９】
2010276789.tif 000021
【図２０】
2010276789.tif 000022
【図２１】
2010276789.tif 000023
【図２２】
2010276789.tif 000024
【図２３】
2010276789.tif 000025